(57)【要約】【課題】冷凍機を内蔵する内蔵型ショーケースを簡素な構成で効率的に排熱処理すること。【解決手段】支軸２３ｃを中心に連動して回動する給気側ダンパ２３ａと排気側ダンパ２３ｂからなる給排気ダンパ２３を給排気ダクト２０に設置し、店外空気用ファン２１ｆと店内空気用ファン２１ｈの回転数の制御により給気側ダンパ２３ａ及び排気側ダンパ２３ｂの回動量を制御して、給気側ダクト２１における店外空気と店内空気の取り込み割合や、排気側ダクト２２における排熱空気の店外や店内への排出割合を設定する。【選択図】図１
2020085341.tif 000002
【特許請求の範囲】
【請求項１】
少なくとも圧縮機と凝縮器を有する冷凍機を内蔵し、店内に設置される内蔵型ショーケースに冷却空気を導入して前記冷凍機の排熱処理を行う排熱処理システムにおいて、
店内及び店外と連通して前記冷凍機に店外空気と店内空気の少なくとも一方の空気を前記冷却空気として前記冷凍機に流入させる給気側ダクトと、
支軸に設けられ、前記給気側ダクトにおける前記店外空気と前記店内空気の取り込み割合を設定する給気側ダンパと、
店内及び店外と連通して前記冷凍機から排出された排熱空気を店内又は店外に排出する排気側ダクトと、
前記支軸に設けられ、前記排気側ダクトにおける前記排熱空気の店内側と店外側との排出割合を設定する排気側ダンパと、
前記支軸を中心に、前記給気側ダンパと前記排気側ダンパを同方向に連動して回動させる制御部と、を備えた、
排熱処理システム。
【請求項２】
前記制御部は、前記店内空気の温度である店内空気温度Ｔ１と、前記店外空気の温度である店外空気温度Ｔ２に基づいて前記給気側ダンパ及び前記排気側ダンパの回動量を制御する、
請求項１に記載の排熱処理システム。
【請求項３】
前記制御部は、前記店内空気温度Ｔ１が第１温度閾値ｔ１未満であると判断したとき、
前記店内空気を取り込み、前記排熱空気を店内に排出するように前記給気側ダンパ及び前記排気側ダンパの回動量を制御する、
請求項２に記載の排熱処理システム。
【請求項４】
前記制御部は、前記店内空気温度Ｔ１が第１温度閾値ｔ１以上で、当該第１温度閾値ｔ１よりも高い第２温度閾値ｔ２以下であり、且つ前記店外空気温度Ｔ２が第３温度閾値ｔ３を上回ると判断したとき、
前記店内空気を取り込み、前記排熱空気を店内に排出するように、前記給気側ダンパ及び前記排気側ダンパの回動量を制御する、
請求項３に記載の排熱処理システム。
【請求項５】
前記制御部は、前記店内空気温度Ｔ１が第１温度閾値ｔ１以上で、当該第１温度閾値ｔ１よりも高い第２温度閾値ｔ２以下であり、且つ前記店外空気温度Ｔ２が前記第２温度閾値ｔ２未満であると判断したとき、
前記店外空気を取り込み、前記排熱空気を店外に排出するように、前記給気側ダンパ及び前記排気側ダンパの回動量を制御する、
請求項３又は４に記載の排熱処理システム。
【請求項６】
前記制御部は、前記店内空気温度Ｔ１が第１温度閾値ｔ１以上で、当該第１温度閾値ｔ１よりも高い第２温度閾値ｔ２以下であり、且つ前記店外空気温度Ｔ２が前記第２温度閾値ｔ２以上、第３温度閾値ｔ３以下であると判断したとき、
前記店外空気と前記店内空気を取り込み、前記排熱空気を店外及び店内に排出するように、前記給気側ダンパ及び前記排気側ダンパの回動量を制御する、
請求項３〜５の何れか一項に記載の排熱処理システム。
【請求項７】
前記制御部は、前記冷却空気の温度である冷却空気温度Ｔ３が前記第２温度閾値ｔ２以下となるように前記給気側ダンパ及び前記排気側ダンパの回動量を制御する、
請求項６に記載の排熱処理システム。
【請求項８】
前記給気側ダクトは、
店外と連通して前記店外空気を取り込むための店外空気用ファンが設けられた第１通風路と、
店内と連通して前記店内空気を取り込むための店内空気用ファンが設けられた第２通風路とで構成され、
前記制御部は、前記店外空気用ファンと前記店内空気用ファンの回転数を制御して前記給気側ダンパ及び前記排気側ダンパの回動量を制御する、
請求項１〜７の何れか一項に記載の排熱処理システム。
【請求項９】
前記内蔵型ショーケースが複数台並列され、
前記冷凍機は、前記凝縮器に前記冷却空気を吹き付ける凝縮器用ファンを備え、
前記制御部は、前記凝縮器用ファンの回転数を制御して前記排気側ダクトからの前記排熱空気の排出量を制御する、
請求項１〜８の何れか一項に記載の排熱処理システム。
【請求項１０】
前記冷凍機の筐体は、前記圧縮機及び前記凝縮器の周囲を囲う箱状を成す、
請求項１〜９の何れか一項に記載の排熱処理システム。
【発明の詳細な説明】
【技術分野】
【０００１】
本発明は、冷凍機を内蔵する内蔵型ショーケースの排熱処理を行う排熱処理システムに関するものである。
【背景技術】
【０００２】
従来より、コンビニエンスストアやスーパーマーケットなどの店舗には、販売食品を貯蔵する冷蔵ショーケースとして、凝縮器や圧縮機を有する冷凍機を内蔵した冷凍機内蔵型のショーケース（以下「内蔵型ショーケース」という）が設置されている。
【０００３】
この内蔵型ショーケースは、冷凍機を内蔵しているため、冷凍機別置型のショーケースのように室外に設置される冷凍機との間の配管工事の必要がなく、コンセントをつなぐだけで使用することができる。そのため、店内への設置作業や、店内のレイアウト変更が容易に行えるというメリットがある一方、内蔵される冷凍機内の凝縮器や圧縮機からの排熱処理が必要となる。
【０００４】
下記特許文献１には、店内に配設された内蔵型ショーケースの冷凍機の排熱処理を行い、この処理により生じた排熱空気を室内に供給して店内空調の省エネ化を図ることを目的とした給気切替装置について開示されている。この給気切替装置は、店外空気と店内空気の温湿度差に基づき、店内外からの給気を行う給気状態（第１〜第３給気状態）と、店内外への排気を行う排気状態（第１又は第２排気状態）とを切替制御している。
【先行技術文献】
【特許文献】
【０００５】
【特許文献１】特開２０１６−５７０１２号公報
【発明の概要】
【発明が解決しようとする課題】
【０００６】
しかしながら、特許文献１の装置では、給気連結ダクト内の給気ダンパと、排気連結ダクト内の排気ダンパとにそれぞれ駆動手段を設け、給排気状態を切り替える際に各ダンパを個別に制御しなければならず、装置構造や制御処理内容が複雑化し、部品点数も増えるという問題がある。
【０００７】
本発明は、以上説明した従来の技術における種々の課題に鑑みてなされたものであり、本発明の目的とするところは、簡素な構成で効率的に冷凍機の排熱処理が行える排熱処理システムを提供することにある。
【課題を解決するための手段】
【０００８】
本発明の第１の態様は、少なくとも圧縮機と凝縮器を有する冷凍機を内蔵し、店内に設置される内蔵型ショーケースに冷却空気を導入して前記冷凍機の排熱処理を行う排熱処理システムにおいて、店内及び店外と連通して前記冷凍機に店外空気と店内空気の少なくとも一方の空気を前記冷却空気として前記冷凍機に流入させる給気側ダクトと、支軸に設けられ、前記給気側ダクトにおける前記店外空気と前記店内空気の取り込み割合を設定する給気側ダンパと、店内及び店外と連通して前記冷凍機から排出された排熱空気を店内又は店外に排出する排気側ダクトと、前記支軸に設けられ、前記排気側ダクトにおける前記排熱空気の店内側と店外側との排出割合を設定する排気側ダンパと、前記支軸を中心に、前記給気側ダンパと前記排気側ダンパを同方向に連動して回動させる制御部と、を備えた排熱処理システムである。
【０００９】
本発明の第２の態様は、本発明の第１の態様に係る排熱処理システムにおいて、前記制御部は、前記店内空気の温度である店内空気温度Ｔ１と、前記店外空気の温度である店外空気温度Ｔ２に基づいて前記給気側ダンパ及び前記排気側ダンパの回動量を制御する、排熱処理システムである。
【００１０】
本発明の第３の態様は、本発明の第２の態様に係る排熱処理システムにおいて、前記制御部は、前記店内空気温度Ｔ１が第１温度閾値ｔ１未満であると判断したとき、前記店内空気を取り込み、前記排熱空気を店内に排出するように前記給気側ダンパ及び前記排気側ダンパの回動量を制御する、排熱処理システムである。
【００１１】
本発明の第４の態様は、本発明の第３の態様に係る排熱処理システムにおいて、前記制御部は、前記店内空気温度Ｔ１が第１温度閾値ｔ１以上で、当該第１温度閾値ｔ１よりも高い第２温度閾値ｔ２以下であり、且つ前記店外空気温度Ｔ２が第３温度閾値ｔ３を上回ると判断したとき、前記店内空気を取り込み、前記排熱空気を店内に排出するように、前記給気側ダンパ及び前記排気側ダンパの回動量を制御する、排熱処理システムである。
【００１２】
本発明の第５の態様は、本発明の第３又は第４の態様に係る排熱処理システムにおいて、前記制御部は、前記店内空気温度Ｔ１が第１温度閾値ｔ１以上で、当該第１温度閾値ｔ１よりも高い第２温度閾値ｔ２以下であり、且つ前記店外空気温度Ｔ２が前記第２温度閾値ｔ２未満であると判断したとき、前記店外空気を取り込み、前記排熱空気を店外に排出するように、前記給気側ダンパ及び前記排気側ダンパの回動量を制御する、排熱処理システムである。
【００１３】
本発明の第６の態様は、本発明の第３〜第５の何れかの態様に係る排熱処理システムにおいて、前記制御部は、前記店内空気温度Ｔ１が第１温度閾値ｔ１以上で、当該第１温度閾値ｔ１よりも高い第２温度閾値ｔ２以下であり、且つ前記店外空気温度Ｔ２が前記第２温度閾値ｔ２以上、第３温度閾値ｔ３以下であると判断したとき、前記店外空気と前記店内空気を取り込み、前記排熱空気を店外及び店内に排出するように、前記給気側ダンパ及び前記排気側ダンパの回動量を制御する、排熱処理システムである。
【００１４】
本発明の第７の態様は、第６の態様に係る排熱処理システムにおいて、前記冷却空気の温度である冷却空気温度Ｔ３が前記第２温度閾値ｔ２以下となるように前記給気側ダンパ及び前記排気側ダンパの回動量を制御する、排熱処理システムである。
【００１５】
本発明の第８の態様は、本発明の第１〜第７の何れかの態様に係る排熱処理システムにおいて、前記給気側ダクトは、店外と連通して前記店外空気を取り込むための店外空気用ファンが設けられた第１通風路と、店内と連通して前記店内空気を取り込むための店内空気用ファンが設けられた第２通風路とで構成され、前記制御部は、前記店外空気用ファンと前記店内空気用ファンの回転数を制御して前記給気側ダンパ及び前記排気側ダンパの回動量を制御する、排熱処理システムである。
【００１６】
本発明の第９の態様は、本発明の第１〜第８の何れかの態様に係る排熱処理システムにおいて、前記内蔵型ショーケースが複数台並列され、前記冷凍機は、前記凝縮器に前記冷却空気を吹き付ける凝縮器用ファンを備え、前記制御部は、前記凝縮器用ファンの回転数を制御して前記排気側ダクトからの前記排熱空気の排出量を制御する、排熱処理システムである。
【００１７】
本発明の第１０の態様は、本発明の第１〜第９の何れかの態様に係る排熱処理システムにおいて、前記冷凍機の筐体は、前記圧縮機及び前記凝縮器の周囲を囲う箱状を成す、排熱処理システムである。
【発明の効果】
【００１８】
本発明によれば、簡素な構成で内蔵型ショーケースの冷凍機に収容される排熱処理対象の排熱処理を効率的に行うことができる。
【図面の簡単な説明】
【００１９】
【図１】本発明の排熱処理システムの一実施形態を示す概略構成図である。
【図２】同システムの機能ブロック図である。
【図３】（ａ）は本発明の給排気ダクトの形態例を示す概略斜視図である。（ｂ）は給排気ダクトの概略平面図である。
【図４】給排気ダンパの制御位置の一例を示す概略斜視図である。
【図５】給排気ダンパの制御位置における他の形態例を示す概略斜視図である。
【図６】給排気ダンパの制御位置における他の形態例を示す概略斜視図である。
【図７】店外空気を取り込んで排熱空気を店外に排出する際の給排気ダンパの制御位置と冷却空気及び排熱空気の流れを示す概略構成図である。
【図８】店内空気を取り込んで排熱空気を店内に排出する際の給排気ダンパの制御位置と冷却空気及び排熱空気の流れを示す概略構成図である。
【図９】店外空気及び店内空気を取り込んで排熱空気を店内及び店外に排出する際の給排気ダンパの制御位置と冷却空気及び排熱空気の流れを示す概略構成図である。
【図１０】給排気ダンパの他の形態例を示す概略斜視図である。
【発明を実施するための形態】
【００２０】
以下、本発明を実施するための形態について、添付した図面を参照しながら詳細に説明する。この実施の形態によって本発明が限定されるものではなく、この形態に基づいて当業者などにより考え得る実施可能な他の形態、実施例及び運用技術などは全て本発明の範疇に含まれるものとする。
【００２１】
なお、本明細書において、添付する各図を参照した以下の説明において、方向乃至位置を示すために上、下、左、右の語を使用した場合、これはユーザが各図を図示の通りに見た場合の上、下、左、右に一致する。また、本明細書に添付する図面においては、図示と理解のしやすさの便宜上、適宜縮尺、縦横の寸法比、形状などについて、実物から変更し模式的に表現される場合があるが、あくまで一例であって、本発明の解釈を限定するものではない。
【００２２】
まず、本実施形態に係る排熱処理システム１の構成について説明する。図１又は図２に示すように、排熱処理システム１は、店舗１００内に設置され冷凍機１１が内蔵される内蔵型ショーケース１０と、内蔵型ショーケース１０の冷凍機１１に向けて排熱処理対象を冷却する空気（冷却空気）を流入させるとともに冷凍機１１から排出された排熱空気を所定箇所に排出する給排気ダクト２０と、店内外から取り込む空気（店外空気、店内空気）や冷凍機１１に流入する冷却空気の温度を検出する温度検出部３０と、排熱処理システム１を構成する各部の駆動を統括制御する制御部４０とで概略構成される。
【００２３】
[内蔵型ショーケース]
内蔵型ショーケース１０は、その上部に冷凍機１１が配設されている。内蔵型ショーケース１０は、ケース前面側から商品が取り出し可能な陳列室１２に陳列される商品に応じて、冷蔵用，冷凍用としてその仕様が設定される。
【００２４】
内蔵型ショーケース１０は、少なくとも圧縮機１１ａと凝縮器１１ｂとを備える冷凍機１１と、減圧手段としての膨張弁１３と、蒸発器１４とを順次配管接続して、周知の循環式冷凍回路を構成する。配管内には所定の冷媒が封入されている。圧縮機１１ａにより圧縮された高温高圧の冷媒は凝縮器１１ｂに流入し、凝縮器１１ｂの近傍に設置された凝縮器用ファン１１ｃの駆動により凝縮器１１ｂに流入した冷媒が空冷される。放熱した冷媒は、受液器１５で気液分離され、液体の冷媒のみが膨張弁１３で減圧された後、蒸発器１４に流入して蒸発される。蒸発器１４と熱交換した冷気は、庫内ファン１６により陳列室１２内に循環され、陳列室１２内が所定の温度に冷却される。蒸発器１４で冷却作用を発揮した冷媒は、再び圧縮機１１ａに流入して循環を繰り返す。
【００２５】
本発明の排熱処理対象としては、発熱源となる圧縮機１１ａや凝縮器１１ｂがそれに該当するが、本実施形態では、凝縮器１１ｂを主として説明する。
【００２６】
冷凍機１１は、冷凍回路中で排出される排熱処理対象の排熱空気が内蔵型ショーケース１０の周囲に漏洩しないようにするため、箱形状を成す筐体１１ｄ内に少なくとも排熱処理対象となる圧縮機１１ａや凝縮器１１ｂが収容されている。
【００２７】
この冷凍機１１を収容した筐体１１ｄには、給排気ダクト２０から流入された冷却空気を冷凍機１１に導く空気導入口１１ｅと、排熱処理対象から排出された排熱空気を給排気ダクト２０に流入させる空気排気口１１ｆが設けられている。図１に示す内蔵型ショーケース１０において、空気導入口１１ｅは、筐体１１ｄにおける外周壁に形成され、空気排気口１１ｆは、冷凍機１１の筐体１１ｄの天面に形成される。
【００２８】
[給排気ダクト]
図３（ａ）、（ｂ）に示すように、給排気ダクト２０は、給気側ダクト２１と、排気側ダクト２２と、給排気ダンパ２３とを備える。
【００２９】
給気側ダクト２１は、店外から取り入れた空気（店外空気）の通路である店外空気用通風路２１ａと、店内から取り入れた空気（店内空気）の通路である店内空気用通風路２１ｂと、冷凍機１１に流入する冷却空気の通路である冷却空気用通風路２１ｃとを備え、各通風路の基端が分岐部２１ｄに接続されている。つまり、給気側ダクト２１は、分岐部２１ｄを起点として３方向に延出した構成となる。
【００３０】
店外空気用通風路２１ａの先端には、店外空気を取り込む店外側空気取込口２１ｅが形成される。店外空気は、店外側空気取込口２１ｅの近傍に設置された店外空気用ファン２１ｆの駆動により店外から取り込まれる。店内空気用通風路２１ｂの先端には、店内空気を取り込む店内側空気取込口２１ｇが形成される。店内空気は、店内の天井や壁面に貫通して形成される店内側空気取込口２１ｇの近傍に設置された店外空気用ファン２１ｈの駆動により店内から取り込まれる。冷却空気用通風路２１ｃの先端には、冷凍機１１の空気導入口１１ｅと連通する冷凍機側供給口２１ｉが形成されている。
【００３１】
排気側ダクト２２は、店外と連通し冷凍機１１からの排熱空気を店外に排出するための店外排気用通風路２２ａと、店内と連通し冷凍機１１からの排熱空気を店内に排出するための店内排気用通風路２２ｂと、冷凍機１１からの排熱空気を取り込む排熱空気用通風路２２ｃとで構成され、各通風路の基端が分岐部２２ｄに接続されている。つまり、排気側ダクト２２は、分岐部２２ｄを起点として３方向に延出した構成となる。
【００３２】
店外排気用通風路２２ａの先端には、店外と連通して冷凍機１１からの排熱空気を店外に排出する店外側空気排気口２２ｅが形成されている。店内排気用通風路２２ｂの先端には、排熱空気を店内に排出する店内側空気排気口２２ｆが形成されている。この店内側空気排出口２２ｆは、店内の天井や壁面に貫通して形成されている。排熱空気用通風路２２ｃの先端には、冷凍機１１の空気排気口１１ｆと連通する冷凍機側取込口２２ｇが形成されている。店内外への排熱空気の排出は、凝縮器用ファン１１ｃ、店外空気用ファン２１ｆ、店内空気用ファン２１ｈの駆動により行われる。
【００３３】
また、給気側ダクト２１における分岐部２１ｄと、排気側ダクト２２における分岐部２２ｄには、店外空気用通風路２１ａと店内空気用通風路２１ｂの何れか一方が閉塞可能であり、且つ店外排気用通風路２２ａと店内排気用通風路２２ｂの何れか一方が閉塞可能な給排気ダンパ２３が設けられている。
【００３４】
給排気ダンパ２３は、給気側ダクト２１の分岐部２１ｄにおいて店外空気用通風路２１ａと店内空気用通風路２１ｂの開放／閉塞の割合を調整して給気側ダクト２１内に取り込む店内空気の量と店外空気の量の割合（取り込み割合）を設定する給気側ダンパ２３ａと、排気側ダクト２２の分岐部２２ｄにおいて店外排気用通風路２２ａと店内排気用通風路２２ｂの開放／閉塞の割合を調整して排気側ダクト２２から店外に排出する排熱空気の量と店内に排出する排出空気の量の割合（排出割合）を設定する排気側ダンパ２３ｂとを備える。
【００３５】
給気側ダンパ２３ａの基端と排気側ダンパ２３ｂの基端は、それぞれ支軸２３ｃに固設されており、支軸２３ｃが回動することで、各ダンパが連動して同方向に同量だけ回動する。支軸２３ｃは、ねじりコイルばねなどの付勢手段（図示せず）によって所定方向に付勢されていてもよい。これによって、給排気ダンパ２３は、ダクト内に空気の流れが無い状態において、回動開始位置となる所定の待機位置に留まることになる。
【００３６】
給排気ダンパ２３の回動量は、店外空気用ファン２１ｆ、店内空気用ファン２１ｈに依存し、給気側ダクト２１における店外空気や店内空気の取り込み割合や、排気側ダクト２２における排熱空気の排出割合に応じて設定される。
【００３７】
給気側ダクト２１の分岐部２１ｄには、店外空気用通風路２１ａを閉塞する際に給気側ダンパ２３ａが当接する店外側当接部材２３ｄと、店内空気用通風路２１ｂを閉塞する際に給気側ダンパ２３ａが当接する店内側当接部材２３ｅが設けられている。同様に、排気側ダクト２２の分岐部２２ｄには、店外排気用通風路２２ａを閉塞する際に排気側ダンパ２３ｂが当接する店外側当接部材２３ｄと、店内排気用通風路２２ｂを閉塞する際に排気側ダンパ２３ｂが当接する店内側当接部材２３ｅが設けられている。
【００３８】
なお、給気側ダクト２１と排気側ダクト２２の配置は、図３（ａ）に示す配置に限定されず、給気側ダクト２１と排気側ダクト２２を上下逆に配置してもよい。また、給気側ダンパ２３ａと排気側ダンパ２３ｂは、一軸で同方向に同量だけ連動可能な構成であれば、図３（ａ）に示すように各ダンパを鉛直方向に重ねて配置しなくてもよい。
【００３９】
図３（ａ）に示すように、本実施形態では図中上側に排気側ダクト２２が配置され、下側に給気側ダクト２１が配置されており、給気側ダクト２１の分岐部２１ｄと排気側ダクト２２の分岐部２２ｄとが鉛直方向で重なるように配置されている。また、給気側ダンパ２３ａは分岐部２１ｄ内に収容され、排気側ダンパ２３ｂは分岐部２２ｄ内に収容され、鉛直方向に延びる支軸２３ｃに対し各ダンパの基端が取り付けられている。
【００４０】
図３（ｂ）に示すように、給排気ダンパ２３は、店外側当接部材２３ｄと店内側当接部材２３ｅとの間で回動自在に軸支されている。給排気ダンパ２３の待機位置は、店外側当接部材２３ｄと店内側当接部材２３ｅとの間で任意の位置に設定可能となっている。
【００４１】
給排気ダンパ２３の待機位置として、給気側ダンパ２３ａを店外側当接部材２３ｄに当接して店外空気用通風路２１ａが閉塞される位置に設定した場合、店外空気用通風路２１ａを通じて不要な店外空気が入り込まなくなる。そのため、店内を陽圧に保ちやすくなり、出入口から虫やゴミの侵入を抑制することができる。また、交通量の多い幹線道路沿いや工業地域近辺の店舗１００などでは汚染された店外空気が無駄に店内に入らないため、店内環境をより良好に保つことができる。
【００４２】
図４〜図６には、給排気ダンパ２３における給気側ダンパ２３ａの制御位置（回動終了位置）の一例を示している。なお、各図において、図中の白矢印は店外空気や店内空気で構成される冷却空気の流れを示し、黒矢印は冷凍機１１から排出された排熱空気の流れを示している。
【００４３】
図４は、店内空気を取り込み、排熱空気を店内に排出する状態を示している。このとき、給気側ダンパ２３ａの制御位置は、店外側当接部材２３ｄに当接するように付勢された状態である。本実施の形態では、前述した付勢手段の付勢力によって給気側ダンパ２３ａの待機位置を店外側当接部材２３ｄと店内側当接部材２３ｅの中間位置としている。店外空気用ファン２１ｆの駆動をＯＦＦにし、店内空気用ファン２１ｈの駆動をＯＮにする。これにより、店内空気用ファン２１ｈの風圧で給気側ダンパ２３ａを付勢手段の付勢力に抗して回動させて、図４のように店外側当接部材２３ｄに当接している。
【００４４】
図４の状態において、給気側ダンパ２３ａは店外側当接部材２３ｄに当接して店外空気用通風路２１ａを閉塞する。また、排気側ダンパ２３ｂは、給気側ダンパ２３ａと連動して店外側当接部材２３ｄに当接して店外排気用通風路２２ａを閉塞する。これにより、店内空気のみが取り込まれるとともに、排熱空気が店内にのみ排出される。
【００４５】
図５は、店外空気を取り込み、排熱空気を店外に排出する状態を示している。このとき、給気側ダンパ２３ａの制御位置は、店内側当接部材２３ｅに当接するように付勢された状態である。本実施の形態では、上述したように、給気側ダンパ２３ａの待機位置を店外側当接部材２３ｄと店内側当接部材２３ｅの中間位置としているので、店内空気用ファン２１ｈの駆動をＯＦＦにし、店外空気用ファン２１ｆの駆動をＯＮにする。この駆動制御により、店外空気用ファン２１ｆの風圧で給気側ダンパ２３ａを付勢手段の付勢力に抗して回動させて、図５のように店内側当接部材２３ｅに当接する。
【００４６】
図５の状態において、給気側ダンパ２３ａは店内側当接部材２３ｅに当接して店内空気用通風路２１ｂを閉塞する。また、排気側ダンパ２３ｂは、給気側ダンパ２３ａと連動して店内側当接部材２３ｅに当接して店内排気用通風路２２ｂを閉塞する。これにより、店外空気のみが取り込まれるとともに、排熱空気が店外にのみ排出される。
【００４７】
図６は、店内及び店外空気を取り込み、排熱空気を店内及び店外に排出する状態を示している。このとき、給気側ダンパ２３ａの制御位置は、店外側当接部材２３ｄと店内側当接部材２３ｅの中間の位置に付勢された状態である。本実施の形態では、上述したように、給気側ダンパ２３ａの待機位置を店外側当接部材２３ｄと店内側当接部材２３ｅの中間位置としているので、店外空気用ファン２１ｆの風圧と店内空気用ファン２１ｈの風圧が略均一となるように各ファンを駆動して給気側ダンパ２３ａが回動しないようにしている。
【００４８】
図６の状態において、給気側ダンパ２３ａと排気側ダンパ２３ｂは、それぞれ待機位置に留まるようになる。よって、給気側ダクト２１に店外空気及び店内空気が取り込まれ、排気側ダクト２２から店外及び店内に排熱空気が排出される。
【００４９】
[温度検出部]
温度検出部３０は、対象物の温度を検出する温度検出手段である。温度検出部３０は、店内空気用通風路２１ｂに取り込まれる店内空気の温度（店内空気温度Ｔ１）を検出する店内空気用温度センサ３１と、店外空気用通風路２１ａに取り込まれる店外空気の温度（店外空気温度Ｔ２）を検出する店外空気用温度センサ３２と、冷凍機１１に流入する冷却空気の温度（冷却空気温度Ｔ３）を検出する冷却空気用温度センサ３３とを備える。温度検出部３０は、検出対象の温度を検出し、検出した温度情報を制御部４０に出力する。
【００５０】
店内空気用温度センサ３１は、店内側空気取込口２１ｇの近傍に設置され、店外空気用温度センサ３２は、店外側空気取込口２１ｅの近傍に設置され、冷却空気用温度センサ３３は、冷凍機側供給口２１ｉの近傍に設置される。なお、店内空気用温度センサ３１、店外空気用温度センサ３２、冷却空気用温度センサ３３の設置位置は、検出対象とする空気温度が検出可能な位置であれば、特に限定されない。
【００５１】
[制御部]
制御部４０は、ＣＰＵやＲＯＭ・ＲＡＭなどの周知のプロセッサで構成され、排熱処理システム１を構成する各部の駆動制御を統括的に行う（図２）。
【００５２】
制御部４０は、温度検出部３０で検出された温度情報と、店外空気用ファン２１ｆ及び店内空気用ファン２１ｈの回転数（駆動量）を決定するための所定の温度閾値（第１温度閾値ｔ１、第２温度閾値ｔ２、第３温度閾値ｔ３）とに基づいて運転モードを選定する。制御部４０は、選定した運転モードに従って、店外空気用ファン２１ｆや店内空気用ファン２１ｈを駆動制御する。選定された運転モードにより店外空気用ファン２１ｆ、店内空気用ファン２１ｈの回転数が決定されるため、給排気ダンパ２３の待機位置から制御位置への回動量や、各通風路の開閉度合いも自ずと決定される。
【００５３】
ここで、図７〜図９を参照しながら制御部４０による給排気ダンパ２３の回動制御について具体的な事例を示して説明する。
【００５４】
本実施形態では、運転モードを四季に応じて運転モード１〜運転モード４の４種類とする。また、上記運転モードの内容に基づき、温度閾値として第１〜第３温度閾値ｔ１〜ｔ３が設定される。「第１温度閾値ｔ１」は、良好な店内環境を保つために店内温度がこれ以上低くならないように設定される閾値であり、例えば１５℃〜２０℃の範囲で設定される。「第２温度閾値ｔ２」は、良好な店内環境を保つために店内温度が高くならないように設定される閾値であり、少なくとも第１温度閾値ｔ１よりも高く、例えば２１℃〜２８℃の範囲で設定される。「第３温度閾値ｔ３」は、店外の気温が高温であると判断するための閾値であり、例えば３０℃〜３６℃の範囲で設定される。
【００５５】
なお、運転モードは、上記例に限定されず、排熱処理対象である凝縮器１１ｂに対して適切に排熱処理されるように制御内容や選定条件が設定される。また、各温度閾値は、店舗１００の出店地域の気候、店内設備の配置位置や内蔵型ショーケース１０の設置数、店内空調の能力などを考慮して適切な値が設定される。
【００５６】
（運転モード１）
運転モード１は、主に店外温度が店内温度よりも比較的低い状態から徐々に温度差が無くなるように外気温が上昇変化する春期（３月〜５月）に適用され、店外空気のみを冷却空気として使用するモードである。運転モード１が選定される条件は、店内空気温度Ｔ１が「第１温度閾値ｔ１≦Ｔ１≦第２温度閾値ｔ２」であり、且つ店外空気温度Ｔ２が「Ｔ２＜第２温度閾値ｔ２」のときに選定される。例えば、第１温度閾値ｔ１が１８℃、第２温度閾値ｔ２が２５℃に設定されている場合、店内空気温度Ｔ１が２３℃、店外空気温度Ｔ２が１９℃のとき、上記条件に該当する。
【００５７】
上記条件に基づき運転モード１が選定されると、制御部４０は店内空気用ファン２１ｈの駆動をＯＦＦにし、店外空気用ファン２１ｆの駆動をＯＮにする。この制御が行われると、給排気ダンパ２３は、上述した図５の状態とされ、給排気ダンパ２３により店内空気用通風路２１ｂ及び店内排気用通風路２２ｂが閉塞される。図７には、このときの排熱処理システム１全体の空気の流れを示す。図７に示すように、運転モード１では、店外空気のみを取り込んで排熱空気が店外にのみ排出されるため、店内の空調が乱れず店内環境を良好に保つことができる。
【００５８】
（運転モード２）
運転モード２は、主に店外温度が店内温度よりもかなり高い夏期（６月〜８月）に適用され、店内空気のみを冷却空気として使用するモードである。運転モード２が選定される条件は、店内空気温度Ｔ１が「第１温度閾値ｔ１≦Ｔ１≦第２温度閾値ｔ２」であり、且つ店外空気温度Ｔ２が「Ｔ２＞第３温度閾値ｔ３」のときに選定される。例えば、第１温度閾値ｔ１が１８℃、第２温度閾値ｔ２が２５℃、第３温度閾値ｔ３が３５℃に設定されている場合、例えば店内空気温度Ｔ１が２３℃、店外空気温度Ｔ２が３６℃のとき、上記条件に該当する。
【００５９】
上記条件に基づき運転モード２が選定されると、制御部４０は店外空気用ファン２１ｆの駆動をＯＦＦにし、店内空気用ファン２１ｈの駆動をＯＮにする。この制御が行われると、給排気ダンパ２３は、上述した図４の状態とされ、給排気ダンパ２３により店外空気用通風路２１ａ及び店外排気用通風路２２ａが閉塞される。図８には、このときの排熱処理システム１全体の空気の流れを示す。図８に示すように、運転モード２では、店外温度が高く冷却空気として利用できない店外空気が店内に取り込まれず、店内空気のみを冷却空気として利用するため、確実に凝縮器１１ｂを冷却することができる。
【００６０】
（運転モード３）
運転モード３は、主に店外温度が店内温度よりも比較的高い状態から徐々に温度差が無くなるように外気温が低下する秋期（９月〜１１月）に適用され、店外空気及び店内空気を混合して冷却空気として使用するモードである。運転モード３が選定される条件は、店内空気温度Ｔ１が「第１温度閾値ｔ１≦Ｔ１≦第２温度閾値ｔ２」であり、且つ店外空気温度Ｔ２が「第２温度閾値ｔ２≦Ｔ２≦第３温度閾値ｔ３」のときに選定される。例えば、第１温度閾値ｔ１が１８℃、第２温度閾値ｔ２が２５℃、第３温度閾値ｔ３が３５℃に設定されている場合、例えば店内空気温度Ｔ１が２３℃、店外空気温度Ｔ２が２６℃のとき、上記条件に該当する。
【００６１】
上記条件に基づき運転モード３が選定されると、制御部４０は店外空気用ファン２１ｆと店内空気用ファン２１ｈの駆動を共にＯＮにする。この制御が行われると、給排気ダンパ２３は、上述した図６の状態とされ、給排気ダンパ２３が店外空気用通風路２１ａと店内空気用通風路２１ｂの両方が開放される位置まで回動する。図９には、このときの排熱処理システム１全体の空気の流れを示す。店外空気用ファン２１ｆ及び店内空気用ファン２１ｈの風量制御は、給排気ダンパ２３が制御位置で留まるように制御される。また、店外空気及び店内空気を取り込んで冷却空気温度Ｔ３が「Ｔ３≦第２温度閾値ｔ２」となるように店外空気用ファン２１ｆ及び店内空気用ファン２１ｈの風量制御を行う。図９に示すように、運転モード３では、店外空気の温度が比較的高く、冷却空気として店外空気のみでは凝縮器１１ｂが適切に冷却できない場合、店外空気と店内空気を同時に取り込んで混合した空気を冷却空気として利用するため、効率的に凝縮器１１ｂを冷却することができる。
【００６２】
（運転モード４）
運転モード４は、主に店外温度が店内温度よりもかなり低い冬期（１２月〜２月）に適用され、店内空気のみを冷却空気として使用するモードである。運転モード４が選定される条件は、店内空気温度Ｔ１が「Ｔ１＜第１温度閾値ｔ１」のときに選定される。第１温度閾値ｔ１が１８℃に設定されている場合、例えば店内空気温度Ｔ１が１５℃のとき、上記条件に該当する。
【００６３】
上記条件に基づき運転モード４が選定されると、制御部４０は店外空気用ファン２１ｆの駆動をＯＦＦにし、店内空気用ファン２１ｈの駆動をＯＮにする。この制御が行われると、給排気ダンパ２３は、上述した図４の状態とされ、給排気ダンパ２３により店外空気用通風路２１ａ及び店外排気用通風路２２ａが閉塞される。図７には、このときの排熱処理システム１全体の空気の流れは、運転モード１と同様、図７に示すような流れとなる。よって、運転モード４では、凝縮器１１ｂからの排熱空気を暖房の補助として利用できるため、店内空調機の省エネ化を図ることができる。
【００６４】
上述した排熱処理システム１は、店内に内蔵型ショーケース１０を複数台並列した場合にも同様に適用できる。一般に、各ショーケースの負荷状態に応じて、排熱処理量が異なる。そこで、制御部４０は、凝縮器用ファン１１ｃの回転数をショーケース毎に個別制御することで、良好な排熱処理を実施する。
【００６５】
凝縮器用ファン１１ｃの制御方法の一例としては、例えば所定の温度範囲を有する第１〜第３の判断用閾値を設定し、第１の判断用閾値のときは凝縮器用ファン１１ｃを「弱運転」、第２の判断用閾値のときは「中運転」、第３の判断用閾値のときは「強運転」と段階的に設定しておき、検出した温度が第１〜第３の判断用閾値のどの温度範囲に入るかを判断して凝縮器用ファン１１ｃの運転を個々に制御する方法がある。
【００６６】
そして、上述した排熱処理システム１では、温度検出部３０で店内空気温度Ｔ１と、店外空気温度Ｔ２と、冷却空気温度Ｔ３をそれぞれ検出する。制御部４０は、温度検出部３０で検出された各温度Ｔ１〜Ｔ３の温度情報と、予め設定された温度閾値（第１温度閾値ｔ１、第２温度閾値ｔ２、第３温度閾値ｔ３）とを比較して該当する運転モードを選定する。
【００６７】
次に、制御部４０は、運転モードを選定すると、給排気ダンパ２３が待機位置から運転モードで設定された制御位置まで回動するように、店外空気用ファン２１ｆと店内空気用ファン２１ｈの駆動制御を行う。給排気ダンパ２３は、店外空気用ファン２１ｆと店内空気用ファン２１ｈの駆動により待機位置から運転モードに応じた制御位置まで回動する。
【００６８】
以上説明したように、上述した排熱処理システム１は、支軸２３ｃを中心に連動して回動する給気側ダンパ２３ａと排気側ダンパ２３ｂからなる給排気ダンパ２３を給排気ダクト２０に設置し、店外空気用ファン２１ｆと店内空気用ファン２１ｈの回転数の制御により給気側ダンパ２３ａ及び排気側ダンパ２３ｂの回動量を制御して、給気側ダクト２１における店外空気と店内空気の取り込み割合や、排気側ダクト２２における排熱空気の店外や店内への排出割合を設定する。
【００６９】
これにより、給気側ダンパ２３ａと排気側ダンパ２３ｂを個別に制御する必要がなくなり、装置構成を簡素化させることができる。また、給気側ダンパ２３ａと、排気側ダンパ２３ｂが連動して回動するため、給排気ダクト２０や冷凍機１１の筐体１１ｄが陽圧や陰圧となる不都合を未然に回避できる。
【００７０】
本実施の形態では、店内空気温度Ｔ１、店外空気温度Ｔ２、冷却空気温度Ｔ３と、予め設定された第１温度閾値ｔ１、第２温度閾値ｔ２、第３温度閾値ｔ３とに基づいて給気側ダンパ２３ａ及び排気側ダンパ２３ｂの回動量を制御するにあたり、店内空気温度Ｔ１が第１温度閾値ｔ１未満のときは、店内空気を取り込みつつ排熱空気が店内に排出されるように給排気ダンパ２３の回動量を制御する。
【００７１】
これにより、特に冬期のような店内温度と外気温との差が大きい場合に、店内に排出される排熱空気が補助暖房として機能するため、店内の空調システムの省エネ化を図ることができる。
【００７２】
また、店内空気温度Ｔ１が第１温度閾値ｔ１以上、第２温度閾値ｔ２以下であり、且つ店外空気温度Ｔ２が第３温度閾値ｔ３を上回ると判断したとき、店内空気を取り込みつつ排熱空気が店内に排出されるように、給排気ダンパ２３の回動量を制御する。
【００７３】
これにより、特に夏期のような店内温度と外気温との差が大きい場合に、冷却空気として適さない高温の店外空気を使用しないため、確実に排熱処理対象を冷却することができる。
【００７４】
また、店内空気温度Ｔ１が第１温度閾値ｔ１以上、第２温度閾値ｔ２以下であり、且つ店外空気温度Ｔ２が第２温度閾値ｔ２未満であると判断したとき、店外空気を取り込みつつ排熱空気が店外に排出されるように、給排気ダンパ２３の回動量を制御する。
【００７５】
これにより、店外空気のみを取り込んで排熱空気が店外にのみ排出されるため、特に春先のように、店内暖房を必要としなくなった時期において、店内空調システムの省エネ化を図ることができる。
【００７６】
また、店内空気温度Ｔ１が第１温度閾値ｔ１以上、第２温度閾値ｔ２以下であり、且つ店外空気温度Ｔ２が第２温度閾値ｔ２以上、第３温度閾値ｔ３以下であると判断したとき、店外空気と店内空気を取り込みつつ排熱空気が店外及び店内に排出されるように、給排気ダンパ２３の回動量を制御する。また、排熱処理システム１は、冷却空気温度Ｔ３が第２温度閾値ｔ２以下となるように給排気ダンパ２３の回動量を制御する。
【００７７】
これにより、特に外気温が店内温度よりも比較的高い秋期のように、店外空気のみでは排熱処理対象の冷却が難しい場合に、店外空気に加えて店内空気を利用することで、排熱処理対象の排熱処理を効率的に行うことができる。また、排熱処理対象に供給する冷却空気の温度が適切な温度、特に第２温度閾値ｔ２以下となるように、店外空気用ファン２１ｆ及び店内空気用ファン２１ｈを制御して店外空気と店内空気を取り込む割合を制御することで、より効率的に排熱処理が行える。
【００７８】
また、給気側ダクト２１は、店外と連通して店外空気を取り込むための店外空気用ファン２１ｆが設けられた第１通風路である店外空気用通風路２１ａと、店内と連通して店内空気を取り込むための店内空気用ファン２１ｈが設けられた第２通風路である店内空気用通風路２１ｂとで構成され、店外空気用ファン２１ｆと店内空気用ファン２１ｈの回転数を制御して給排気ダンパ２３の回動量を制御する。
【００７９】
これにより、給気側ダンパ２３ａと排気側ダンパ２３ｂにそれぞれ駆動手段を設けて個別に制御する必要がないため、簡素な構成で排熱処理対象の冷却処理を行うことができる。
【００８０】
また、冷凍機１１内の凝縮器１１ｂに冷却空気を吹き付ける凝縮器用ファン１１ｃの回転数を制御して排気側ダクト２２からの排熱空気の排出量を制御する。
【００８１】
これにより、店舗１００内に内蔵型ショーケース１０が複数台併設されている場合に、内蔵型ショーケース１０個々で排熱処理効率が異なったとしても、内蔵型ショーケース１０毎に凝縮器用ファン１１ｃの回転数を制御することで各凝縮器１１ｂの排熱処理を効率的に行うことができる。
【００８２】
また、冷凍機１１の筐体１１ｄは、圧縮機１１ａ及び凝縮器１１ｂの周囲を囲う箱状を成しているため、排熱処理対象である圧縮機１１ａや凝縮器１１ｂから排出される排熱空気が内蔵型ショーケース１０の周囲に漏洩せず、店内空調並びに陳列室１２内の温度の乱れを防止する効果を奏する。
【００８３】
なお、本発明は上記各実施形態に限定されるものではなく、例えば以下に示すように使用環境などに応じて適宜変更して実施することもできる。また、以下の変形例を本発明の要旨を逸脱しない範囲の中で任意に組み合わせて実施することもできる。
【００８４】
―変形例１―
上述した形態において、給排気ダンパ２３の回動制御は、店外空気用ファン２１ｆ及び店内空気用ファン２１ｈを駆動制御して行う構成としたが、これに限定されない。例えば、図１０に示すように支軸２３ｃにモータなどの駆動手段５０を設け、制御部４０は、選定された運転モードに応じて駆動手段５０を駆動させて支軸２３ｃを所定方向に回動させる構成とすれば、上述した形態と同様の効果を奏することができる。
【００８５】
―変形例２―
上述した形態では、図１に示すように凝縮器用ファン１１ｃが冷却空気の流入方向側（図中右側の凝縮器１１ｂの前面）に設置されているが、冷凍機１１に供給された冷却空気によって凝縮器１１ｂが冷却できればよいため、凝縮器用ファン１１ｃの配置位置を冷却空気の流入側と反対側（図中左側の凝縮器１１ｂの背面）に配置してもよい。
【００８６】
―変形例３―
上述した形態では、店内空気用温度センサ３１で店内空気温度Ｔ１を検出し、店外空気用温度センサ３２で店外空気温度Ｔ２を検出する構成で説明したが、店内空気温度Ｔ１や店外空気温度Ｔ２は、店舗１００の空調システムで検出される温度でもあるため、該システムで検出された温度情報を利用する構成としてもよい。
【符号の説明】
【００８７】
１…排熱処理システム
１０…内蔵型ショーケース
１１…冷凍機（１１ａ…圧縮機、１１ｂ…凝縮器、１１ｃ…凝縮器用ファン、１１ｄ…筐体、１１e…空気導入口、１１ｆ…空気排気口）
１２…陳列室
１３…膨張弁
１４…蒸発器
１５…受液器
１６…庫内ファン
２０…給排気ダクト
２１…給気側ダクト（２１ａ…店外空気用通風路、２１ｂ…店内空気用通風路、２１ｃ…冷却空気用通風路、２１ｄ…給気側ダクトの分岐部、２１ｅ…店外側空気取込口、２１ｆ…店外空気用ファン、２１ｇ…店内側空気取込口、２１ｈ…店内空気用ファン、２１ｉ…冷凍機側供給口）
２２…排気側ダクト（２２ａ…店外排気用通風路、２２ｂ…店内排気用通風路、２２ｃ…排熱空気用通風路、２２ｄ…排気側ダクトの分岐部、２２ｅ…店外側空気排気口、２２ｆ…店内側空気排気口、２２ｇ…冷凍機側取込口）
２３…給排気ダンパ（２３ａ…給気側ダンパ、２３ｂ…排気側ダンパ、２３ｃ…支軸、２３ｄ…店外側当接部材、２３ｅ…店内側当接部材）
３０…温度検出部
３１…店内空気用温度センサ
３２…店外空気用温度センサ
３３…冷却空気用温度センサ
４０…制御部
５０…駆動手段
【図１】
2020085341.tif 000003
【図２】
2020085341.tif 000004
【図３】
2020085341.tif 000005
【図４】
2020085341.tif 000006
【図５】
2020085341.tif 000007
【図６】
2020085341.tif 000008
【図７】
2020085341.tif 000009
【図８】
2020085341.tif 000010
【図９】
2020085341.tif 000011
【図１０】
2020085341.tif 000012